(57)【特許請求の範囲】
【請求項１】
複数の通信装置を用い、送信権を取得した一の通信装置から他の通信装置へ出力データを同報的に送信し、出力データを受信した通信装置は、受信した出力データに基づく出力処理を実行する通信方法において、
送信権を取得する通信装置は、
他の通信装置のうちから選択した一又は複数の通信装置を、出力の主対象として指定する入力を受け付け、
同報送信の対象となる他の全ての通信装置へ同報的に出力データを送信し、
他の通信装置は、
指定されている場合にのみ、受信した出力データを保存し、
出力データに基づく出力処理を実行する
ようにしてあり、
前記出力処理は、指定されているか否かにより異なり、
指定されている他の通信装置は、
再出力を要求する入力を受け付けた場合に、保存した出力データに基づく出力処理を実行する
ことを特徴とする通信方法。
【請求項２】
複数の通信装置を備え、送信権を取得した一の通信装置から他の通信装置へ同報的に出力データを送信する通信システムにおいて、
送信権を取得する通信装置は、
他の通信装置のうちから選択した一又は複数の通信装置を、出力の主対象として指定する入力を受け付ける指定手段と、
同報送信の対象となる他の全ての通信装置へ同報的に出力データを送信する手段と
を備え、
他の通信装置は、
受信した出力データを保存する保存手段及び出力データに基づく出力処理を実行する出力手段を備え、
該出力手段による出力処理は、指定されているか否かにより異なり、
指定されている場合にのみ、受信した出力データを前記保存手段に保存するようにしてあり、
指定されている他の通信装置は、
再出力を要求する入力を受け付けた場合に、前記保存手段に保存した出力データに基づき前記出力手段による出力処理を実行する
前記出力手段による出力処理は、指定されているか否かにより異なる
ことを特徴とする通信システム。
【請求項３】
前記通信装置は、更に、
音声の入力を受け付ける手段を備え、
前記出力データは、入力を受け付けた音声に基づく音声データであり、
前記出力処理を実行する出力手段は、音声データに基づく音声を出力する様に構成してある
ことを特徴とする請求項２に記載の通信システム。
【請求項４】
前記一の通信装置が取得している送信権を解放した場合に、指定されていた通信装置に送信権を付与する手段を更に備えることを特徴とする請求項２又は請求項３に記載の通信システム。
【請求項５】
他の複数の装置と通信することが可能で、送信権を取得した場合に、他の複数の装置に対して出力データを同報的に送信し、出力データを受信した場合に、該出力データに基づく出力処理を実行する通信装置において、
出力データを保存する保存手段と、
他の装置のうちから選択した一又は複数の装置を、出力の主対象となる指定装置として指定する入力を受け付ける手段と、
同報送信の対象となる他の全ての装置へ同報的に出力データを送信する手段と
を備え、
指定装置として指定されている出力データを受信した場合にのみ、受信した出力データを前記保存手段に保存するようにしてあり、
前記出力データに基づく出力処理は、指定されているか否かにより異なる
ことを特徴とする通信装置。
【請求項６】
他の複数の装置と通信することが可能で、送信権を取得した場合に、他の複数の装置に対して出力データを同報的に送信し、出力データを受信した場合に、該出力データに基づく出力処理を実行するコンピュータに、処理を実行させるコンピュータプログラムにおいて、
コンピュータに、他の全ての装置へ同報的に出力データを送信する場合に、他の装置のうちから選択した一又は複数の装置を、出力の主対象となる指定装置として指定する入力を受け付けさせる手順と、
コンピュータに、指定装置として指定されている出力データを受信した場合にのみ、受信した出力データを保存させる手順と、
コンピュータに、指定装置として指定されているか否かにより、異なる出力処理を実行させる
ことを特徴とするコンピュータプログラム。
【発明の詳細な説明】
【技術分野】
【０００１】
本願は、複数の通信装置及び該通信装置間の通信を中継する中継装置を用い、送信権を取得した一の通信装置から他の通信装置へ出力データを同報的に送信し、出力データを受信した通信装置は、受信した出力データに基づく出力処理を実行する通信方法、該通信方法を適用した通信システム、該通信システムにて用いられる通信装置、及び該通信装置を実現するためのコンピュータプログラムに関し、特にＩＰ(Internet Protocol) 電話の技術をトランシーバの様に利用することで、音声データを含むパケットを同報的に複数の装置へ送信するＰｏＣ(Push-to-Talk over Cellular)サービスに適用することが可能な通信方法、通信システム、通信装置及びコンピュータプログラムに関する。
【背景技術】
【０００２】
現在、ＩＰ(Internet Protocol) 網などの通信網を介して装置間で音声及び映像のデータの送受信を行うＶｏＩＰ(Voice over Internet Protocol)、ＶｏＰＮ（Voice over Packet Network） 、ストリーム配信等のリアルタイム系のアプリケーションの利用が増えてきている。そしてその一例であるＩＰ電話が急速に普及してきている。ＩＰ電話では、パケット化した音声データを、ＩＰ網を介して送受信することにより、パケットの送信側の装置及び受信側の装置間の通話を実現している。
【０００３】
さらにＩＰ電話の技術をトランシーバの様に利用することで、音声データを含むパケットを同報的に複数の装置へ送信するＰｏＣ(Push-to-Talk over Cellular)サービスが注目を集めている。ＰｏＣサービスの特徴としては、音声データを送信する話者権を複数台の装置の中の一の装置が取得し、送信権を取得した一の装置が他の複数の装置へ同報的に音声データを送信する半二重通信であり、３台以上の装置間での同時通信が可能であるということが挙げられる。なお音声データの送信時には、話者権を取得している装置（人物）が各装置へ通知されるので、音声データに基づき出力される発言が誰の発言であるかを全員が把握することができる。
【０００４】
なお音声データを送信する送信権を複数台の装置の中の一の装置が取得し、送信権を取得した一の装置が他の複数の装置へ同報的に音声データを送信する半二重通信を用いた通信システムは、上述したＰｏＣサービス以外にも例えば電子会議システムとして提案されている（特許文献１参照。）。
【０００５】
このようにＰｏＣサービス、電子会議システム等の話者権を取得した一の装置から他の複数の装置へ同報的に音声データが送信することにより、一対複数の対話を実現するシステムでは、一人一人へ同一内容を伝える手間及びコストを削減することが可能となる。また話者権を取得した発言者にとって、発言の対象者が一人であったとしても、その内容を他者へも同報することにより、情報の共有が可能になるという利点が有る。
【特許文献１】特開平６−２６６６３２号公報
【発明の開示】
【発明が解決しようとする課題】
【０００６】
しかしながら従来のＰｏＣサービス、電子会議システム等のシステムでは、話者権を取得している装置（人物）については通知されるが、誰に対する発言か否か、即ち発言の対象者が誰かについては不明であるため、発言の対象者が発言を聞き逃す虞があるという問題がある。また逆に聞き逃す虞を防止するためには、自らにとっては重要でない発言であっても全ての発言を慎重に聴取しなければならないため手間と時間とを要するという問題がある。
【０００７】
本願は斯かる事情に鑑みて成されたものであり、発言者が発言時に発言対象者を指定し、指定された発言対象者に指定されていることを通知することにより、発言対象者は発言を聞き逃すことが無く、また指定されていない者は、例えば他の作業と並行して発言を聞く等の行為を行うことができるため作業効率を向上させることが可能な通信方法、該通信方法を適用した通信システム、該通信システムにて用いられる通信装置、及び該通信装置を実現するためのコンピュータプログラムの提供を目的とする。
【課題を解決するための手段】
【０００８】
本願に記載の通信方法は、複数の通信装置を用い、送信権を取得した一の通信装置から他の通信装置へ出力データを同報的に送信し、出力データを受信した通信装置は、受信した出力データに基づく出力処理を実行する通信方法において、送信権を取得する通信装置は、他の通信装置のうちから選択した一又は複数の通信装置を、出力の主対象として指定する入力を受け付け、同報送信の対象となる他の全ての通信装置へ同報的に出力データを送信し、他の通信装置は、指定されている場合にのみ、受信した出力データを保存し、出力データに基づく出力処理を実行するようにしてあり、前記出力処理は、指定されているか否かにより異なり、指定されている他の通信装置は、再出力を要求する入力を受け付けた場合に、保存した出力データに基づく出力処理を実行する。
【０００９】
本願では、出力データの主な送信対象となる通信装置を指定することが可能であり、また指定された通信装置のユーザは、指定されたことを把握することができるので、例えば出力データが音声を出力する音声データである場合には、指定された通信装置のユーザは、音声を聞き逃すことが無く、また指定されていない通信装置のユーザは、例えば他の作業と並行して発言を聞く等の行為を行うことができるため作業効率を向上させることが可能である。しかも本願では、指定された通信装置にて出力データを保存し、再出力を行うことができるので、指定された通信装置のユーザは、重要な出力内容を再確認することが可能である。
【００１０】
本願に記載の通信システムは、複数の通信装置を備え、送信権を取得した一の通信装置から他の通信装置へ同報的に出力データを送信する通信システムにおいて、送信権を取得する通信装置は、他の通信装置のうちから選択した一又は複数の通信装置を、出力の主対象として指定する入力を受け付ける指定手段と、同報送信の対象となる他の全ての通信装置へ同報的に出力データを送信する手段とを備え、他の通信装置は、受信した出力データを保存する保存手段及び出力データに基づく出力処理を実行する出力手段を備え、該出力手段による出力処理は、指定されているか否かにより異なり、指定されている場合にのみ、受信した出力データを前記保存手段に保存するようにしてあり、指定されている他の通信装置は、再出力を要求する入力を受け付けた場合に、前記保存手段に保存した出力データに基づき前記出力手段による出力処理を実行する前記出力手段による出力処理は、指定されているか否かにより異なる。
【００１１】
本願では、出力データの主な送信対象となる通信装置を指定することが可能であり、また指定された通信装置は、指定されたことを把握することができるので、例えば出力データが音声を出力する音声データである場合には、指定された通信装置のユーザは、音声を聞き逃すことが無く、また指定されていない通信装置のユーザは、例えば他の作業と並行して発言を聞く等の行為を行うことができるため作業効率を向上させることが可能である。しかも本願では、指定された通信装置にて出力データを保存し、再出力を行うことができるので、指定された通信装置のユーザは、重要な出力内容を再確認することが可能である。
【００１６】
本願に記載の通信システムは、前記通信装置は、更に、音声の入力を受け付ける手段を備え、前記出力データは、入力を受け付けた音声に基づく音声データであり、前記出力処理を実行する出力手段は、音声データに基づく音声を出力する様に構成してある。
【００１７】
本願では、ＰｏＣサービス、電子会議システム等の複数人で発言を共有するシステムに適用することが可能である。
【００１８】
本願に記載の通信システムは、前記一の通信装置が取得している送信権を解放した場合に、指定されていた通信装置に送信権を付与する手段を更に備える。
【００１９】
本願では、送信権が解放された場合に、指定されていた通信装置が次の送信権を取得することができるので、例えば送信権を取得した通信装置のユーザからの指定された問いかけに対して速やかに回答する可能である。
【００２２】
本願に記載の通信装置は、他の複数の装置と通信することが可能で、送信権を取得した場合に、他の複数の装置に対して出力データを同報的に送信し、出力データを受信した場合に、該出力データに基づく出力処理を実行する通信装置において、出力データを保存する保存手段と、他の装置のうちから選択した一又は複数の装置を、出力の主対象となる指定装置として指定する入力を受け付ける手段と、同報送信の対象となる他の全ての装置へ同報的に出力データを送信する手段とを備え、指定装置として指定されている出力データを受信した場合にのみ、受信した出力データを前記保存手段に保存するようにしてあり、前記出力データに基づく出力処理は、指定されているか否かにより異なる。
【００２３】
本願では、出力データの主な送信対象となる相手を指定することが可能であり、また指定された場合には、指定されたことを把握することができるので、例えば出力データが音声を出力する音声データである場合には、指定されたユーザは、音声を聞き逃すことが無く、また指定されていないユーザは、例えば他の作業と並行して発言を聞く等の行為を行うことができるため作業効率を向上させることが可能である。しかも本願では、指定された通信装置にて出力データを保存し、再出力を行うことができるので、指定された通信装置のユーザは、重要な出力内容を再確認することが可能である。
【００２６】
本願に記載のコンピュータプログラムは、他の複数の装置と通信することが可能で、送信権を取得した場合に、他の複数の装置に対して出力データを同報的に送信し、出力データを受信した場合に、該出力データに基づく出力処理を実行するコンピュータに、処理を実行させるコンピュータプログラムにおいて、コンピュータに、他の全ての装置へ同報的に出力データを送信する場合に、他の装置のうちから選択した一又は複数の装置を、出力の主対象となる指定装置として指定する入力を受け付けさせる手順と、コンピュータに、指定装置として指定されている出力データを受信した場合にのみ、受信した出力データを保存させる手順と、コンピュータに、指定装置として指定されているか否かにより、異なる出力処理を実行させる。
【００２７】
本願では、ＩＰ電話、パーソナルコンピュータ等のコンピュータにて実行することにより、コンピュータが通信装置として動作し、出力データの主な送信対象となる相手を指定することが可能であり、また指定された場合には、指定されたことを把握することができるので、例えば出力データが音声を出力する音声データである場合には、指定されたユーザは、音声を聞き逃すことが無く、また指定されていないユーザは、例えば他の作業と並行して発言を聞く等の行為を行うことができるため作業効率を向上させることが可能である。しかも本願では、指定された通信装置にて出力データを保存し、再出力を行うことができるので、指定された通信装置のユーザは、重要な出力内容を再確認することが可能である。
【発明の効果】
【００２８】
本発明に係る通信方法、通信システム、通信装置及びコンピュータプログラムは、複数の通信装置及び該通信装置間の通信を中継する中継装置を用い、送信権を取得した一の通信装置から他の通信装置へ音声を出力する音声データ等の出力データを同報的に送信し、出力データを受信した通信装置は、受信した出力データに基づく出力、例えば音声の出力を行うＰｏＣサービス、電子会議システム等のシステムに適用され、送信権を取得する通信装置は、他の通信装置の中から、出力の主対象となる通信装置を指定する入力を受け付け、他の通信装置へ同報的に出力データを送信し、指定された通信装置は、出力データに基づく出力処理を実行する際に、指定されたことを通知する画像出力、音声出力等の出力処理を実行する。
【００２９】
この構成により、本発明では、出力データの主な送信対象となる通信装置を指定することが可能であり、また指定された通信装置のユーザは、指定されたことを把握することができる。従って例えば出力データが音声を出力する音声データである場合には、指定された通信装置のユーザは、音声を聞き逃すことが無く、また指定されていない通信装置のユーザは、例えば他の作業と並行して発言を聞く等の行為を行うことができるため作業効率を向上させることが可能である等、優れた効果を奏する。
【００３０】
また本発明の通信システム等は、指定された通信装置又は中継装置にて出力データを保存し、必要に応じて再出力を可能とすることにより、指定された通信装置のユーザは、重要な出力内容を再確認することが可能である等、優れた効果を奏する。
【００３１】
さらに本発明の通信システム等は、送信権を確保した通信装置が、取得した通信権を解放した場合に、指定されていた通信装置に送信権を付与することにより、指定されていた通信装置が次の送信権を取得することができるので、例えば送信権を取得した通信装置のユーザからの指定された問いかけに対して速やかに回答する可能である等、優れた効果を奏する。
【発明を実施するための最良の形態】
【００３２】
以下、本発明をその実施の形態を示す図面に基づいて詳述する。
【００３３】
実施の形態１．
図１は、本発明の実施の形態１における通信システムの構成例を示す概念図である。図１中１，１，…は、ＰｏＣ(Push-to-Talk over Cellular)サービスにて用いられるトランシーバ機能を備えたＩＰ電話用端末装置等の通信用コンピュータを用いた本発明の通信装置であり、一の通信装置１は、ＶｏＩＰ(Voice over IP) 網等の通信網３に接続し、ＰｏＣサーバコンピュータ等の中継装置２に中継されて他の通信装置１，１，…とパケット通信を行う。ＰｏＣサービスによる通信は、中継装置２の管理により、グループ化された複数の通信装置１，１，…にて行われる半二重通信であり、送信権を取得した一の通信装置１が、入力された音声を出力させるための音声データ（出力データ）を含むパケットを生成し、生成したパケットを、中継装置２を介して、他の通信装置１，１，…へ同報的に送信する。そして音声データを含むパケットを受信した通信装置１は、受信したパケットに含まれる音声データに基づいて音声を出力する。なお送信権は、一の通信装置１が保持し続けるのではなく、送信権の要求を行った他の通信装置１へ移動する。音声データを含むパケットは、ＶｏＩＰ通信に用いられる通信規約であるＲＴＰ(Real-time Transport Protocol)等の規定に基づいている。なおここでいう音声とは、人物が発声する音に限らず、可聴音全般を含む広い概念を示している。
【００３４】
図２は、本発明の実施の形態１における通信システムが備える各種装置の構成例を示すブロック図である。通信装置１は、装置全体を制御する制御手段１０、本発明の通信装置用のコンピュータプログラム１１１及びデータ等の各種情報を記録する揮発性及び不揮発性のメモリにて形成される記録手段１１、音声の入力を受け付けるマイク等の音声入力手段１２、音声を出力するスピーカ等の音声出力手段１３、画像を表示する液晶パネル等の表示手段１４、各種押釦等の操作手段１５、通信網３に接続する通信手段１６、通信用バッファとして用いられる蓄積手段１７等の各種回路を備えている。そして通信用コンピュータは、制御手段１０の制御にて本発明の通信装置用のコンピュータプログラム１１１に含まれる各種手順を実行することにより、本発明の通信装置１として動作する。
【００３５】
さらに通信装置１では、制御手段１０の制御により、音声入力手段１２からアナログデータとして入力を受け付けた音声をデジタルデータに変換し、デジタルデータである音声データを所定のデータ長に分割し、パケットとして通信手段１６から送信する。また通信装置１では、制御手段１０の制御により、通信手段１６から音声データを含むパケットを受信し、受信したパケットに含まれる音声データを蓄積手段１７に蓄積し、蓄積した音声データを音声出力手段１３へ出力する。音声出力手段１３は、音声チップにて構成され、バッファメモリ１３１を備えており、受け付けた音声データをバッファメモリ１３１に蓄積し、蓄積した音声データをアナログデータに変換し、アナログデータに変換した音声データを音声として、出力間隔として設定されている所定の時間間隔で出力する。通信装置１が備える操作手段１５としては、例えば数字キー、記号キー、各種機能キー等の各種押釦が有り、機能キーの一つとして、送信権を要求するＰｏＣ専用キーを備えている。
【００３６】
中継装置２は、制御手段２０、本発明の中継装置用のコンピュータプログラム２１１及びデータ等の情報を記録するハードディスク等の記録手段２１、ＲＡＭ等の記憶手段２２、通信手段２３等の各種回路を備えている。そしてＰｏＣサーバコンピュータは、記録手段２１に記録された本発明の中継装置用のコンピュータプログラム２１１を記憶手段２２に記憶し、制御手段２０の制御により、コンピュータプログラム２１１に含まれる各種手順を実行することにより、本発明の中継装置２として動作する。
【００３７】
さらに中継装置２は、ＰｏＣサービスに基づく通話を行うグループ化された通信装置１，１，…、当該グループ内で送信権を取得した通信装置１等のＰｏＣサービスに係る管理を実行しており、一の通信装置１からの送信権の要求に対して、送信権を取得させる処理を行い、また一の通信装置１からの送信権の解放要求に対して、送信権を解放させる処理を行う。そして中継装置２の記録手段２１の記録領域の一部は、グループ化、送信権の割当等のＰｏＣサービスに関する管理に用いる管理データベース（管理ＤＢ）２１２として用いられている。管理データベース２１２において、通信装置１は、所定のＩＤ、ＩＰアドレス、電話番号等の識別情報にて管理される。所定のＩＤとは、各通信装置１の管理者が任意に設定することが可能なＩＤであり、sato、tanaka等のＩＤが用いられ、またその場合、中継装置２には、poc_controller等のＩＤが用いられる。
【００３８】
次に本発明の実施の形態１における各種装置の処理について説明する。なお以降の説明において、便宜上、特に必要がある場合、送信権を取得する通信装置１を第１通信装置１ａ、第１通信装置１ａ以外の通信装置１を第２通信装置１ｂとして表現する。図３は、本発明の実施の形態１における通信装置１及び中継装置２の送信権取得処理の一例を示すフローチャートである。第１通信装置１ａを操作するユーザは、他の複数の第２通信装置１ｂの中で、発言の主対象となる第２通信装置１ｂを指定して発言を行うことを所望する場合、出力の主対象となる第２通信装置１ｂを指定する入力及び送信権の取得を要求する入力を行う。
【００３９】
図４は、本発明の実施の形態１における通信装置１の表示手段１４から出力される画面の一例を示す説明図である。図４は、第１通信装置１ａを用いて、第２通信装置１ｂの指定及び送信権の取得を行う場合に、第１通信装置１ａが備える表示手段１４から表示される画面を示している。図４に示す様に、画面内の右上側には、通信状態を示す「ＯＫ」の文字が示された画像が表示されており、その下方には、当該第１通信装置１ａを操作するユーザの氏名が表示されている。さらに画面内の左側には、ＰｏＣサービスの提供を享受すべく同一のグループにグループ化された第２通信装置１ｂの一覧が、ユーザの氏名の一覧として表示されており、右側には、話者権（送信権に相当）という文字が示された押釦を模した画像が示されている。第１通信装置１ａを操作するユーザは、出力の主対象となる第２通信装置１ｂ（ユーザの氏名）を指定する入力、及び話者権と示された画像を指示する入力を行うことにより、第２通信装置１ｂの指定及び送信権（話者権）の取得を要求する操作を行うことができる。なお第２通信装置１ｂを指定するだけで、送信権の取得を要求する操作をも兼ねさせる様にしても良い。また複数の第２通信装置１ｂを指定することも可能である。
【００４０】
図３のフローチャートに示す様に、第１通信装置１ａは、コンピュータプログラム１１１を実行する制御手段１０の制御により、操作手段１５から、出力の主対象となる第２通信装置１ｂを指定する入力及び送信権の取得を要求する入力を受け付け（Ｓ１０１）、指定された第２通信装置１ｂを示す指定装置情報及び送信権取得要求を、通信手段１６から通信網３を介して中継装置２へ送信する（Ｓ１０２）。ステップＳ１０２にて送信される指定装置情報及び送信権取得要求は、例えば下記のコマンドとして生成される。なお下記のコマンドは、ＩＤがtanakaである第１通信装置１ａからＩＤがpoc_controllerである中継装置２へ送信する送信権取得要求であり、ＩＤがsatoである第２通信装置１ｂを指定する指定装置情報を含んでいる。
【００４１】
REQUEST_FLOOR
To: poc_controller
From: tanaka
TalkTo: sato
Message-ID: 0001
【００４２】
中継装置２は、コンピュータプログラム２１１を実行する制御手段２０の制御により、通信手段２３にて、指定装置情報及び送信権取得要求を受信し（Ｓ１０３）、第１通信装置１ａに対し、送信権の付与の可否を判定する（Ｓ１０４）。ステップＳ１０４における送信権の付与の可否は、既に他の通信装置１に送信権を付与しているか否か、他の通信装置１から送信された送信権取得要求を受信しているか否かに基づいて判定される。
【００４３】
中継装置２は、制御手段２０の制御により、送信権の付与が可能であると判定した場合、第１通信装置１ａに対し、指定装置情報が示す第２通信装置１ｂを指定した送信権を付与する（Ｓ１０５）。ステップＳ１０５における送信権を付与する処理とは、管理データベース２１２に記録されているグループ化された複数の通信装置１の中で、送信権を取得した第１通信装置１ａに対応付けて、送信権を取得していることを示すフラグを記録し、更に指定された第２通信装置１ｂに対応付けて、指定されたことを示すフラグを記録する等の処理である。なお送信権の付与が不可能であると判定された場合、送信権の取得に失敗したことを第１通信装置１ａに通知する異常処理が行われる。
【００４４】
そして中継装置２は、制御手段２０の制御により、送信権の取得が成功したことを通知する取得通知情報を、通信手段２３から通信網３を介して第１通信装置１ａを含む全ての通信装置１へ同報送信する（Ｓ１０６）。ステップＳ１０６において、中継装置２は、第１通信装置１ａが特定の第２通信装置１ｂを指定した送信権を取得したことを、第１通信装置１ａだけでなく、他の全ての第２通信装置１ｂへも通知する。ステップＳ１０６にて送信される取得通知情報は、例えば下記のコマンドとして生成される。なお下記のコマンドは、ステップＳ１０２にて例示した指定装置情報及び送信権取得要求に対して、送信権を取得することができたことを通知する取得通知情報であり、ＩＤがpoc_controllerである中継装置２からＩＤがtanakaである通信装置１ａへ送信される。
【００４５】
FLOOR_GRANTED
To: tanaka
From: poc_controller
Message-ID: 0001
【００４６】
第１通信装置１ａは、制御手段１０の制御により、通信手段１６にて、取得通知情報を受信し（Ｓ１０７）、受信した取得通知情報を記録手段１１に記録し（Ｓ１０８）、記録した取得通知情報に基づいて、音声出力手段１３及び表示手段１４から出力処理を実行する（Ｓ１０９）。取得通知情報に基づく出力とは、例えば送信権を取得したことを示す所定の音の出力、所定の画像の出力等の出力である。
【００４７】
また第１通信装置１ａ以外の第２通信装置１ｂも同様であり、第２通信装置１ｂは、制御手段１０の制御により、通信手段１６にて、取得通知情報を受信し（Ｓ１１０）、受信した取得通知情報を記録手段１１に記録し（Ｓ１１１）、記録した取得通知情報に基づいて、音声出力手段１３及び表示手段１４から出力処理を実行する（Ｓ１１２）。ステップＳ１１２において、出力の主対象として指定された第２通信装置１ｂからは、取得通知情報に基づく出力として、第１通信装置１ａが自機を指定した送信権を取得したことを示す出力が行われ、出力の主対象として指定されていない第２通信装置１ｂからは、第１通信装置１ａが他の特定の第２通信装置１ｂを指定した送信権を取得したことを示す出力が行われる。この様にして送信権取得処理が実行される。
【００４８】
図５は、本発明の実施の形態１における通信装置１及び中継装置２の装置指定通話処理の一例を示すフローチャートである。送信権取得処理により送信権を取得した第１通信装置１ａでは、ユーザの発声等の音声の送信を開始する。第１通信装置１ａは、コンピュータプログラム１１１を実行する制御手段１０の制御により、音声入力手段１２にて音声の入力を受け付け（Ｓ２０１）、受け付けた音声をパケット化した音声データとして通信手段１６から通信網３を介して中継装置２へ送信する（Ｓ２０２）。
【００４９】
中継装置２は、コンピュータプログラム２１１を実行する制御手段２０の制御により、通信手段２３にて音声データを受信し（Ｓ２０３）、受信した音声データを通信手段２３からグループ化されている第２通信装置１ｂへ同報的に送信する（Ｓ２０４）。
【００５０】
第２通信装置１ｂは、コンピュータプログラム１１１を実行する制御手段１０の制御により、通信手段１６にて音声データを受信すると（Ｓ２０５）、記録手段１１に記録した取得通知情報に基づいて、出力の主対象として自機が指定されているか否かを判定する（Ｓ２０６）。
【００５１】
ステップＳ２０６において、自機が指定されていると判定した場合（Ｓ２０６：ＹＥＳ）、第２通信装置１ｂは、制御手段１０の制御により、音声出力手段１３及び表示手段１４から、出力の主対象として指定された音声データを受信したことを示す出力処理を実行し（Ｓ２０７）、受信した音声データを記録手段１１に保存し（Ｓ２０８）、更に音声出力手段１３から、受信した音声データに基づく音声の出力処理を実行する（Ｓ２０９）。ステップＳ２０７の指定されたことを示す出力処理とは、音声及び画像の出力により実行される。
【００５２】
ステップＳ２０６において、自機が指定されていないと判定した場合（Ｓ２０６：ＮＯ）、第２通信装置１ｂは、制御手段１０の制御により、音声データを受信したことを示す出力処理を実行し（Ｓ２１０）、音声出力手段１３から、受信した音声データに基づく音声の出力処理を実行する（Ｓ２１１）。
【００５３】
指定された第２通信装置１ｂのステップＳ２０７における指定されたことを示す出力処理とは、指定されていない第２通信装置１ｂのステップＳ２１０の出力処理と異なる出力を実行することを示す。例えば指定されていない第２通信装置１ｂでは、ステップＳ２１０において、「ピッ」という単音を出力し、指定されている第２通信装置１ｂでは、ステップＳ２０７において、「ピッピッピッ」という連続音を出力する。また指定されている第２通信装置１ｂは、指定されていない第２通信装置１ｂと異なる画像を出力する。
【００５４】
図６は、本発明の実施の形態１における通信装置１の表示手段１４から出力される画面の一例を示す説明図である。図６は、第２通信装置１ｂが音声データを受信した場合に表示手段１４から出力される画面例を示しており、図６（ａ）が、出力の主対象として指定されていない第２通信装置１ｂから出力される画面であり、図６（ｂ）が、出力の主対象として指定されている第２通信装置１ｂから出力される画面である。図６（ａ）と図６（ｂ）とを比較すると明らかな様に、指定された第２通信装置１ｂからは、スピーカを示す画像が点滅表示されており、ユーザは音声データの受信時に示された画像を視認することにより、指定されているか否かを判断することが可能である。なお指定されたことを示す方法としては、第２通信装置１ｂの画面全体の色を変更する等、様々な装飾を行うことが可能である。
【００５５】
ステップＳ２０８では、受信した音声データを、送信元である第１通信装置１ａの識別情報に対応付けて保存する。
【００５６】
ステップＳ２０９において、出力の主対象として指定されている第２通信装置１ｂから出力される音声データに基づく音声は、ステップＳ２１１において、指定されていない第２通信装置１ｂより大きい音声での出力処理が行われる。あるいは第２通信装置１ｂの音声出力手段１２に設定されている音量を増大して、設定された音量よりも大きな音声が出力される様にしても良い。また警告音、メロディ音、「○○様から問い合わせです」等のアナウンス音等のユーザの注意を喚起する音又は音声を出力した後に受信した音声データに基づく出力処理を実行する様にしても良く、更にはこれらを組み合わせた処理を実行する様にしても良い。この様にして装置指定通話処理が実行される。
【００５７】
図７は、本発明の実施の形態１における通信装置１の再出力処理の一例を示すフローチャートである。装置指定通話処理により指定され音声データを受信した第２通信装置１ｂを操作するユーザが、音声の再出力を要求する所定の操作を行うことにより、第２通信装置１ｂは、再出力処理を開始する。第２通信装置１ｂは、コンピュータプログラム１１１を実行する制御手段１０の制御により、操作手段１５にて再出力を要求する入力を受け付け（Ｓ３０１）、記録手段１１に保存している音声データを抽出し（Ｓ３０２）、音声出力手段１３から、音声データに基づく音声の出力処理を実行する（Ｓ３０３）。なお記録手段１１に記録している音声データが複数である場合、再出力の要求を入力する際に、要求する音声データを選択することが可能である。この様にして再出力処理が実行される。
【００５８】
図８は、本発明の実施の形態１における通信装置１及び中継装置２の送信権解放処理の一例を示すフローチャートである。第１通信装置１ａを操作するユーザは、送信権の解放を所望する場合、送信権を解放する操作を行う。第１通信装置１ａは、コンピュータプログラム１１１を実行する制御手段１０の制御により、操作手段１５から、送信権を解放する入力を受け付け（Ｓ４０１）、送信権の解放を要求する送信権解放要求を通信手段１６から通信網３を介して中継装置２へ送信する（Ｓ４０２）。ステップＳ４０２にて送信される送信権解放要求は、例えば下記のコマンドとして生成される。下記のコマンドは、ＩＤがtanakaである第１通信装置１ａからＩＤがpoc_contorollerである中継装置２へ送信する送信権解放要求である。
【００５９】
RELEASE_FLOOR
From: tanaka
To: poc_controller
Message-ID: 0003
【００６０】
中継装置２は、コンピュータプログラム２１１を実行する制御手段２０の制御により、通信手段２３にて、送信権解放要求を受信し（Ｓ４０３）、受信した送信権解放要求に基づいて第１通信装置１ａに対して付与していた送信権を解放する（Ｓ４０４）。ステップ４０４における送信権を解放する処理とは、管理データベース２１２に記録されている複数の通信装置１の中で、送信権を取得した第１通信装置１ａに対応付けて記録していた送信権を取得していることを示すフラグを消去し、更に指定されていた第２通信装置１ｂに対応付けて記録していた指定されたことを示すフラグを消去する等の処理である。
【００６１】
そして中継装置２は、制御手段２０の制御により、第１通信装置１ａが出力の主対象として指定していた第２通信装置１ｂに対して、第１通信装置１ａを出力の主対象として指定した送信権を付与する（Ｓ４０５）。即ち送信権を取得していた第１通信装置１ａと、指定された第２通信装置１ｂとが入れ替わることになり、第２通信装置１ｂは、第１通信装置１ａからの問いかけに対して速やかに回答することが可能である。なお指定されていた第２通信装置１ｂに対して送信権を付与するのではなく、送信権付与の優先権を付与する様にしても良い。具体的には、第１通信装置１ａが送信権を解放した後、複数の通信装置１から送信権の取得要求を中継装置２が受信した場合、中継装置２は、直前に指定されていた通信装置１に対して送信権を付与するのである。なお指定されていた第２通信装置１ｂが複数である場合、最初に送信権の取得要求を送信した第２通信装置１ｂに送信権を付与する等の処理が行われる。
【００６２】
そして中継装置２は、制御手段２０の制御により、送信権が解放され、更に第２通信装置１ｂに送信権が付与されたことを通知する解放通知情報を、通信手段２３から通信網３を介して第１通信装置１ａへ送信する（Ｓ４０６）。また中継装置２は、第１通信装置１ａの送信権が解放され、第２通信装置１ｂに送信権が付与されたことを、他の全ての第２通信装置１ｂへ通知する。なお送信権が解放されたことを明示した通知を行わず、新たに他の通信装置１へ送信権が付与された旨の通知のみを行い、この通知を受けて、第１通信装置１ａは送信権が解放されたことを認識する様にしても良い。
【００６３】
第１通信装置１ａは、制御手段１０の制御により、通信手段１６にて、解放通知情報を受信し（Ｓ４０７）、受信した解放通知情報に基づいて、音声出力手段１３及び表示手段１４から出力処理を実行する（Ｓ４０８）。解放通知情報に基づく出力とは、例えば送信権が解放されたことを示す所定の音の出力、所定の画像の出力等の出力である。この様にして送信権解放処理が実行される。
【００６４】
実施の形態２．
実施の形態２は、実施の形態１において、出力の主対象となる通信装置の指定を、送信権取得処理時に行うのではなく、送信権を取得後、音声データを送信時に行う形態である。実施の形態２における通信システム及び各種装置の構成例は、実施の形態１と同様であるので、実施の形態１を参照するものとし、その説明を省略する。また以降の説明において、各種符号は実施の形態１と同様の符号を付して説明を行う。
【００６５】
次に本発明の実施の形態２における各種装置の処理について説明する。図９は、本発明の実施の形態２における通信装置１及び中継装置２の送信権取得処理の一例を示すフローチャートである。第１通信装置１ａを操作するユーザは、送信権の取得を要求する入力を行う。第１通信装置１ａは、コンピュータプログラム１１１を実行する制御手段１０の制御により、操作手段１５から、送信権の取得を要求する入力を受け付け（Ｓ５０１）、受け付けた入力に基づいて送信権取得要求を、通信手段１６から通信網３を介して中継装置２へ送信する（Ｓ５０２）。
【００６６】
中継装置２は、コンピュータプログラム２１１を実行する制御手段２０の制御により、通信手段２３にて、送信権取得要求を受信し（Ｓ５０３）、第１通信装置１ａに対し、送信権の付与の可否を判定する（Ｓ５０４）。
【００６７】
中継装置２は、制御手段２０の制御により、送信権の付与が可能であると判定した場合、第１通信装置１ａに対して送信権を付与し（Ｓ５０５）、送信権の取得が成功したことを通知する取得通知情報を、通信手段２３から通信網３を介して第１通信装置１ａへ送信する（Ｓ５０６）。また中継装置２は、第１通信装置１ａが送信権を取得したことを、他の全ての第２通信装置１ｂへ通知する。なお送信権の付与が不可能であると判定された場合、送信権の取得に失敗したことを第１通信装置１ａに通知する異常処理が行われる。
【００６８】
第１通信装置１ａは、制御手段１０の制御により、通信手段１６にて、取得通知情報を受信し（Ｓ５０７）、受信した取得通知情報に基づいて、音声出力手段１３及び表示手段１４から出力処理を実行する（Ｓ５０８）。この様にして送信権取得処理が実行される。
【００６９】
図１０は、本発明の実施の形態２における通信装置１及び中継装置２の装置指定通話処理の一例を示すフローチャートである。送信権取得処理により送信権を取得した第１通信装置１ａを操作するユーザは、出力の主対象となる第２通信装置１ｂを指定する入力を行った上で発声を行う。第１通信装置１ａは、コンピュータプログラム１１１を実行する制御手段１０の制御により、操作手段１５から、出力の主対象となる第２通信装置１ｂを指定する入力を受け付け（Ｓ６０１）、更に音声入力手段１２にて音声の入力を受け付け（Ｓ６０２）、受け付けた音声をパケット化した音声データを、通信手段１６から通信網３を介して中継装置２へ送信する（Ｓ６０３）。ステップＳ６０１において、音声データのパケットには、指定された第２通信装置１ｂを示す指定装置情報が例えばヘッダ情報として含まれている。あるいは出力の主対象として指定された第２通信装置１ｂが変更される都度、主対象が変更された旨の通知を行う通知情報が各通信装置１へ送信される様にしても良い。この場合、音声データに指定装置情報を含ませる必要は無くなり、実施の形態１と同様の処理が可能となる。なお第１通信装置１ａでは、音声データの送信を行う都度、異なる第２通信装置１ｂを指定することが可能である。
【００７０】
中継装置２は、コンピュータプログラム２１１を実行する制御手段２０の制御により、通信手段２３にて指定装置情報を含む音声データを受信し（Ｓ６０４）、受信した音声データを通信手段２３からグループ化されている第２通信装置１ｂへ同報的に送信する（Ｓ６０５）。
【００７１】
第２通信装置１ｂは、コンピュータプログラム１１１を実行する制御手段１０の制御により、通信手段１６にて音声データを受信し（Ｓ６０６）、受信した音声データのパケットのヘッダ情報に基づいて、自機が指定されているか否かを判定する（Ｓ６０７）。
【００７２】
ステップＳ６０７において、自機が指定されていると判定した場合（Ｓ６０７：ＹＥＳ）、第２通信装置１ｂは、制御手段１０の制御により、音声出力手段１３及び表示手段１４から、出力の主対象として指定されたことを示す出力処理を実行し（Ｓ６０８）、受信した音声データを記録手段１１に保存し（Ｓ６０９）、更に音声出力手段１３から、受信した音声データに基づく音声の出力処理を実行する（Ｓ６１０）。
【００７３】
ステップＳ６０７において、自機が指定されていないと判定した場合（Ｓ６０７：ＮＯ）、第２通信装置１ｂは、制御手段１０の制御により、音声データを受信したことを示す出力処理を実行し（Ｓ６１１）、音声出力手段１３から、受信した音声データに基づく音声の出力処理を実行する（Ｓ６１２）。この様にして装置指定通話処理が実行される。
【００７４】
実施の形態２において、その他の構成及び処理については、実施の形態１と同様であるので、実施の形態１を参照するものとし、その説明を省略する。
【００７５】
前記実施の形態２では、送信権取得後に行われる出力の主対象となる通信装置の指定を受け付け、指定された通信装置を示す指定通信装置情報を音声データの送信の都度、ヘッダ情報に含ませる形態を示したが、本発明は、これに限らず、下記に例示する様な様々な形態に展開することが可能である。
【００７６】
例えば通信装置が指定された際又は変更された際に、その直後に送信される音声データのみに設定する形態とすることができる。この様な形態において、通信装置は、音声データを受信すると、受信した音声データに出力の主対象となる通信装置に関する情報が含まれているか否かを確認し、出力の主対象となる通信装置に関する情報が含まれていた場合には、自機が指定されているか否かを判断し、自機が指定されていると判断したときには、自機が指定されたことを示す出力を行う。さらに、例えば、自機が指定されているか否かを示すフラグ領域を記録手段に設けておき、当該フラグ領域に自機が指定されたことを示す情報を設定しておく。以後音声データに出力の主対象となる通信装置に関する情報が含まれていない場合は、当該フラグ領域を参照し、フラグ領域に自機が指定されたことを示す情報が設定されているときには、自機が指定されたことを示す出力を行い、フラグ領域に自機が指定されたことを示す情報が設定されていないときには、通常の出力処理を行う。また、受信した音声データに出力の主対象となる通信装置を示す指定通信装置情報が含まれており、指定された出力の主対象となる通信装置が自機でない場合には、フラグ領域を参照し、フラグ領域に自機が指定されたことを示す情報が設定されている場合には、フラグ領域の設定を解除し、自機の指定が解除されたことを示す出力処理を行う。
【００７７】
また例えば出力の主対象となる通信装置の指定を受けた際に、当該情報を音声データに含めて送信するのではなく、別途制御データを送信する形態であっても良い。この様な形態において、通信装置又は中継装置は、出力の主対象となる通信装置の指定を受け付けると、出力の主対象となる通信装置を示す情報を含む制御データを生成し、各通信装置に配信する。通信装置は、出力の主対象となる通信装置を示す情報を含む制御データを受信すると、制御データ中に含まれる通信装置が自機であるか否かを判断し、自機が指定されていると判断した場合には、例えば、記録手段に設けられたフラグ領域に自機が指定されたことを示す情報を設定し、自機が指定されていないと判断した場合には、フラグ領域を参照して、自機が指定されたことを示す情報が設定されているとき設定を解除する。音声データを受信した際には、フラグ領域を参照して、自機が指定されたことを示す情報が設定されているか否かを判断し、自機が指定されたことを示す情報が設定されている場合には、自機が指定されたことを示す出力処理を行い、自機が指定されたことを示す情報が設定されていない場合には、通常の出力処理を行う。
【００７８】
実施の形態３．
実施の形態３は、実施の形態１において、中継装置にて音声データを保存する形態である。実施の形態３における通信システム及び各種装置の構成例は、実施の形態１と同様であるので、実施の形態１を参照するものとし、その説明を省略する。また以降の説明において、各種符号は実施の形態１と同様の符号を付して説明を行う。
【００７９】
次に本発明の実施の形態３における各種装置の処理について説明する。実施の形態３における送信権取得処理は、実施の形態１と同様であるので実施の形態１を参照するものとし、その説明を省略する。図１１は、本発明の実施の形態３における通信装置１及び中継装置２の装置指定通話処理の一例を示すフローチャートである。送信権取得処理により送信権を取得した第１通信装置１ａでは、ユーザの発声等の音声の送信を開始する。第１通信装置１ａは、コンピュータプログラム１１１を実行する制御手段１０の制御により、音声入力手段１２にて音声の入力を受け付け（Ｓ７０１）、受け付けた音声をパケット化した音声データとして通信手段１６から通信網３を介して中継装置２へ送信する（Ｓ７０２）。
【００８０】
中継装置２は、コンピュータプログラム２１１を実行する制御手段２０の制御により、通信手段２３にて音声データを受信し（Ｓ７０３）、受信した音声データを、送信元である第１通信装置１ａの識別情報及び指定された第２通信装置１ｂの識別情報に対応付けて、記録手段２１に保存し（Ｓ７０４）、通信手段２３からグループ化されている第２通信装置１ｂへ同報的に送信する（Ｓ７０５）。
【００８１】
第２通信装置１ｂは、コンピュータプログラム１１１を実行する制御手段１０の制御により、通信手段１６にて音声データを受信し（Ｓ７０６）、受信した音声データのパケットのヘッダ情報に基づいて、自機が指定されているか否かを判定する（Ｓ７０７）。
【００８２】
ステップＳ７０７において、自機が指定されていると判定した場合（Ｓ７０７：ＹＥＳ）、第２通信装置１ｂは、制御手段１０の制御により、音声出力手段１３及び表示手段１４から、出力の主対象として指定されたことを示す出力処理を実行し（Ｓ７０８）、受信した音声データに基づいて音声出力手段１３から音声を出力する出力処理を実行する（Ｓ７０９）。
【００８３】
ステップＳ７０７において、自機が指定されていないと判定した場合（Ｓ７０７：ＮＯ）、第２通信装置１ｂは、制御手段１０の制御により、音声データを受信したことを示す出力処理を実行し（Ｓ７１０）、音声出力手段１３から、受信した音声データに基づく音声の出力処理を実行する（Ｓ７１１）。この様にして装置指定通話処理が実行される。
【００８４】
図１２は、本発明の実施の形態３における通信装置１及び中継装置２の再出力処理の一例を示すフローチャートである。装置指定通話処理により指定された第２通信装置１ｂとして音声データを受信した第２通信装置１ｂを操作するユーザが、音声の再出力を要求する所定の操作を行うことにより、第２通信装置１ｂは、再出力処理を開始する。第２通信装置１ｂは、コンピュータプログラム１１１を実行する制御手段１０の制御により、操作手段１５にて再出力を要求する入力を受け付け（Ｓ８０１）、音声データの再送を要求する再送要求を、通信手段１６から通信網３を介して中継装置２へ送信する（Ｓ８０２）。
【００８５】
中継装置２は、コンピュータプログラム２１１を実行する制御手段２０の制御により、通信手段２３にて再送要求を受信し（Ｓ８０３）、受信した再送要求に基づいて、再送要求の送信元の第２通信装置１ｂを示す識別情報に対応付けて記録手段２１に保存している音声データを抽出し（Ｓ８０４）、抽出した音声データを通信手段２３から通信網３を介して第２通信装置１ｂへ送信する（Ｓ８０５）。
【００８６】
第２通信装置１ｂは、制御手段１０の制御により、通信手段１６にて音声データを受信し（Ｓ８０６）、受信した音声データに基づく音声の出力処理を実行する（Ｓ８０７）。この様にして再出力処理が実行される。
【００８７】
実施の形態３において、その他の構成及び処理については、実施の形態１と同様であるので、実施の形態１を参照するものとし、その説明を省略する。なおここでは実施の形態１に対し、中継装置２に音声データを保存する形態を実施の形態３として説明したが、実施の形態２に対し、中継装置２に音声データを保存する等、適宜組み合わせて様々な形態に展開することが可能である。
【００８８】
前記実施の形態１乃至３では、トランシーバ機能を備えたＩＰ電話用端末装置を通信装置とする形態を示したが、本発明はこれに限らず、通信網に接続し、音声の入出力を行うことが可能なコンピュータであれば良く、グループ化される通信装置の一部又は全部をパーソナルコンピュータ等のコンピュータにて実現するようにしても良く、また電子会議システムに適用する様にしても良い。
【００８９】
また前記実施の形態１乃至３では、音声に基づく音声データを送受信し、音声データに基づき音声を出力する形態を示したが、本発明はこれに限らず、音声以外の出力を実行する出力データを出力する形態であっても良く、例えば映像に基づく映像データを送受信し、映像データに基づき映像を出力する形態であっても良い。
【００９０】
さらに前記実施の形態１乃至３では、出力の主対象となる通信装置の指定を、通信装置のユーザが通信装置を特定する情報を入力して行う形態を説明したが、本発明はこれに限らず、以下に例示する様な様々な形態に展開する事が可能である。
【００９１】
例えば本発明では、通信装置を示す識別情報と、通信装置の位置を示す位置情報とを対応付けて記録するデータベースを予め準備しておき、位置情報が指定された場合に、指定された位置情報又は指定された位置情報が示す位置に最も近い位置を示す位置情報に対応付けて記録されている識別情報をデータベースから抽出し、抽出した識別情報にて示される通信装置を、出力の主対象となる通信装置とする様にしても良い。このようにすることにより、例えば、複数の作業者が、離れた場所に設置された機器の点検作業を行っている場合に、同じ作業場所にいる他の作業者を一々確認することなく、順次場所を指定していくだけで、当該場所にいる作業者の状況を問い合わせることができ、効率的に各作業場所の状況を確認することが可能となる。
【００９２】
例えば本発明では、通信装置を示す識別情報と、通信装置のユーザの属性を示す属性情報とを対応付けて記録するデータベースを予め準備しておき、属性情報が指定された場合に、指定された属性情報に対応付けて記録されている識別情報をデータベースから抽出し、抽出した識別情報にて示される通信装置を、出力の主対象となる通信装置とする様にしても良い。この場合、ユーザの属性を示す属性情報とは、氏名、性別、住所、勤務先会社名、所属等の静的な情報、更にはユーザの居場所、パソコン、インターネット等の装置環境が動的に変化する情報が用いられる。このようにすることにより、例えば、会議において、議題に対する賛否を問い、賛否いずれであったかを属性情報として記憶しておき、属性として賛成を指定して、順番に賛成者の意見を聴取し、次に属性として反対を指定して、順番に賛成者の意見を聴取するといったことを、効率的に行うことが可能となる。
【００９３】
さらに前記実施の形態１乃至３において、中継装置が、複数の通信装置から送信権の取得要求を同時期に受信した場合、また例示した様にデータベースから所定の条件を満足する通信装置を示す識別情報を複数抽出した場合、直前に指定されていた通信装置に優先的に送信権を付与すると共に、他の通信装置に送信権を付与する順序を決定し決定した順序に基づいて、順次送信権を付与する様にしても良い。
【００９４】
以上の実施の形態１乃至３を含む実施の形態に関し、更に以下の付記を開示する。
【００９５】
（付記１）複数の通信装置を用い、送信権を取得した一の通信装置から他の通信装置へ出力データを同報的に送信し、出力データを受信した通信装置は、受信した出力データに基づく出力処理を実行する通信方法において、送信権を取得する通信装置は、他の通信装置の中から、出力の主対象となる通信装置を指定する入力を受け付け、他の通信装置へ同報的に出力データを送信し、指定された通信装置は、指定されたことを示す出力処理を実行することを特徴とする通信方法。
【００９６】
（付記２）複数の通信装置を備え、送信権を取得した一の通信装置から他の通信装置へ同報的に出力データを送信する通信システムにおいて、送信権を取得する通信装置は、他の通信装置の中から、出力の主対象となる通信装置を指定する入力を受け付ける指定手段と、他の通信装置へ同報的に出力データを送信する手段とを備え、他の通信装置は、受信した出力データに基づく出力処理を実行する手段と、指定されている場合に、指定されたことを示す出力処理を実行する手段とを備えることを特徴とする通信システム。
【００９７】
（付記３）前記指定された通信装置は、受信した出力データを保存する手段と、再出力を要求する入力を受け付けた場合に、保存した出力データに基づく出力処理を実行する手段とを更に備えることを特徴とする付記２に記載の通信システム。
【００９８】
（付記４）複数の通信装置間の通信を中継する中継装置を更に備え、該中継装置は、一の通信装置から受信した出力データを、指定された通信装置を示す情報に対応付けて保存する手段を備え、指定された通信装置は、更に、再出力を要求する入力を受け付けた場合に、出力データの再送要求を中継装置へ送信する手段を備え、中継装置は、受信した再送要求に基づいて、保存している出力データを、再送要求の送信元の装置へ送信する手段を更に備えることを特徴とする付記２に記載の通信システム。
【００９９】
（付記５）前記指定手段は、送信権の取得を要求する場合に受け付けるように構成してあることを特徴とする付記２乃至付記４のいずれかに記載の通信システム。
【０１００】
（付記６）前記指定手段は、出力データを送信する場合に受け付ける様に構成してあることを特徴とする付記２乃至付記４のいずれかに記載の通信システム。
【０１０１】
（付記７）前記指定手段は、さらに、出力データを送信する際に出力の主対象となる通信装置の指定を受け付けた場合に、他の通信装置に当該指定された通信装置を通知するように構成してあることを特徴とする付記６に記載の通信システム。
【０１０２】
（付記８）前記出力データは、指定された通信装置を示す情報を含み、通信装置は、更に、受信した出力データに含まれる情報に基づいて指定されているか否かを判定する手段を備えることを特徴とする付記２乃至付記７のいずれかに記載の通信システム。
【０１０３】
（付記９）前記通信装置は、更に、音声の入力を受け付ける手段を備え、前記出力データは、入力を受け付けた音声に基づく音声データであり、前記出力処理を実行する手段は、音声データに基づく音声を出力する様に構成してあることを特徴とする付記２乃至付記８のいずれかに記載の通信システム。
【０１０４】
（付記１０）前記指定された通信装置は、更に、出力する音声の音量を変更する手段を備えることを特徴とする付記９に記載の通信システム。
【０１０５】
（付記１１）前記一の通信装置が取得している送信権を解放した場合に、指定されていた通信装置に送信権を付与する手段を更に備えることを特徴とする付記２乃至付記１０のいずれかに記載の通信システム。
【０１０６】
（付記１２）前記解放された送信権を付与された通信装置は、送信権を解放した通信装置を指定する手段を更に備えることを特徴とする付記１１に記載の通信システム。
【０１０７】
（付記１３）前記一の通信装置が取得している送信権を解放後、複数の通信装置から送信権を取得する要求が生じた場合に、指定されていた通信装置に送信権を付与する手段を更に備えることを特徴とする付記１１に記載の通信システム。
【０１０８】
（付記１４）前記指定手段は、複数の通信装置を指定する入力を受け付ける様に構成してあることを特徴とする付記２乃至付記１３いずれかに記載の通信システム。
【０１０９】
（付記１５）複数の通信装置間の通信を中継し、送信権を取得した一の通信装置から送信された出力データを他の通信装置へ同報的に送信する中継装置において、一の通信装置から、他の通信装置の中で出力の主対象となる通信装置を指定した出力データを受信する手段と、受信した出力データを、指定された通信装置を示す情報に対応付けて保存する手段と、一の通信装置から受信した出力データを他の通信装置へ同報的に送信する手段と、指定された通信装置から、出力データの再送要求を受信する手段と、受信した再送要求に基づいて、保存している出力データを、再送要求の送信元へ送信する手段とを備えることを特徴とする中継装置。
【０１１０】
（付記１６）他の複数の装置と通信することが可能で、送信権を取得した場合に、他の複数の装置に対して出力データを同報的に送信し、出力データを受信した場合に、該出力データに基づく出力処理を実行する通信装置において、他の装置の中から、出力の主対象となる装置を指定装置として指定する入力を受け付ける手段と、他の装置へ同報的に出力データを送信する手段と、指定装置として指定されている出力データを受信した場合に、指定されたことを示す出力処理を実行する手段とを備えることを特徴とする通信装置。
【０１１１】
（付記１７）複数の通信装置間の通信を中継し、送信権を取得した一の通信装置から送信された出力データを他の通信装置へ同報的に送信させるコンピュータに、処理を実行させるコンピュータプログラムにおいて、コンピュータに、一の通信装置から、他の通信装置の中で出力の主対象となる通信装置を指定した出力データを受信した場合に、受信した出力データを、指定された装置を示す情報に対応付けて保存させる手順と、コンピュータに、指定された通信装置から、出力データの再送要求を受信した場合に、受信した再送要求に基づいて、保存している出力データを再送要求の送信元へ送信させる手順とを実行させることを特徴とするコンピュータプログラム。
【０１１２】
（付記１８）他の複数の装置と通信することが可能で、送信権を取得した場合に、他の複数の装置に対して出力データを同報的に送信し、出力データを受信した場合に、該出力データに基づく出力処理を実行するコンピュータに、処理を実行させるコンピュータプログラムにおいて、コンピュータに、他の装置へ同報的に出力データを送信する場合に、他の装置の中から、出力の主対象となる装置を指定装置として指定する入力を受け付けさせる手順と、コンピュータに、指定装置として指定されている出力データを受信した場合に、指定されたことを示す出力処理を実行させる手順とを実行させることを特徴とするコンピュータプログラム。
【図面の簡単な説明】
【０１１３】
【図１】本発明の実施の形態における通信システムの構成例を示す概念図である。
【図２】本発明の実施の形態１における通信システムが備える各種装置の構成例を示すブロック図である。
【図３】本発明の実施の形態１における通信装置及び中継装置の送信権取得処理の一例を示すフローチャートである。
【図４】本発明の実施の形態１における通信装置の表示手段から出力される画面の一例を示す説明図である。
【図５】本発明の実施の形態１における通信装置及び中継装置の装置指定通話処理の一例を示すフローチャートである。
【図６】本発明の実施の形態１における通信装置の表示手段から出力される画面の一例を示す説明図である。
【図７】本発明の実施の形態１における通信装置の再出力処理の一例を示すフローチャートである。
【図８】本発明の実施の形態１における通信装置及び中継装置の送信権解放処理の一例を示すフローチャートである。
【図９】本発明の実施の形態２における通信装置及び中継装置の送信権取得処理の一例を示すフローチャートである。
【図１０】本発明の実施の形態２における通信装置及び中継装置の装置指定通話処理の一例を示すフローチャートである。
【図１１】本発明の実施の形態３における通信装置及び中継装置の装置指定通話処理の一例を示すフローチャートである。
【図１２】本発明の実施の形態３における通信装置及び中継装置の再出力処理の一例を示すフローチャートである。
【符号の説明】
【０１１４】
１  通信装置
１ａ  第１通信装置
１ｂ  第２通信装置
１０  制御手段
１１  記録手段
１１１  コンピュータプログラム
１２  音声入力手段
１３  音声出力手段
１３１  バッファメモリ
１４  表示手段
１５  操作手段
１６  通信手段
１７  蓄積手段
２  中継装置
２０  制御手段
２１  記録手段
２１１  コンピュータプログラム
２２  記憶手段
３  通信網
【図１】
0004502942.tif 000002
【図２】
0004502942.tif 000003
【図３】
0004502942.tif 000004
【図４】
0004502942.tif 000005
【図５】
0004502942.tif 000006
【図６】
0004502942.tif 000007
【図７】
0004502942.tif 000008
【図８】
0004502942.tif 000009
【図９】
0004502942.tif 000010
【図１０】
0004502942.tif 000011
【図１１】
0004502942.tif 000012
【図１２】
0004502942.tif 000013